(57)【要約】【課題】外観を損なわず、且つ撮影者に不快感を与えることなく、放熱が可能なカメラボディ、レンズ鏡筒及びカメラシステムを提供する。【解決手段】本発明のカメラボディ（１０）は、レンズ鏡筒（２０）の装着時に、該レンズ鏡筒（２０）のレンズ側マウント部（３０Ｌ）が結合されるカメラボディ側マウント部（３０Ｂ）を備え、該カメラボディ側マウント部（３０Ｂ）には、前記レンズ側マウント部（３０Ｌ）との結合時において、該レンズ側マウント部（３０Ｌ）との間に間隙を形成すると共に該カメラボディ側マウント部（３０Ｂ）の外周側に開口した凹部（６１Ｂ）が設けられていること、を特徴とする。【選択図】図１
2010145616.tif 000002
【特許請求の範囲】
【請求項１】
レンズ鏡筒の装着時に、該レンズ鏡筒のレンズ側マウント部が結合されるカメラボディ側マウント部を備え、
該カメラボディ側マウント部には、前記レンズ側マウント部との結合時において、該レンズ側マウント部との間に間隙を形成すると共に該カメラボディ側マウント部の外周側に開口した凹部が設けられていること、
を特徴とするカメラボディ。
【請求項２】
請求項１に記載のカメラボディであって、
前記凹部は、前記カメラボディ側マウント部の内周側の端部に、前記レンズ側マウント部と接する突部を有すること、
を特徴とするカメラボディ。
【請求項３】
請求項１又は２に記載のカメラボディであって、
前記カメラボディ側マウント部と、前記カメラボディ内部に設けられて駆動により発熱する発熱部との間の少なくとも一部は、伝熱手段によって連結されていること、
を特徴とするカメラボディ。
【請求項４】
請求項１〜３のいずれか１項に記載のカメラボディであって、
前記凹部は複数設けられ、該複数の凹部は互いに連結していること、
を特徴とするカメラボディ。
【請求項５】
カメラボディへの装着時に、該カメラボディのカメラボディ側マウント部が結合されるレンズ側マウント部を備え、
該レンズ側マウント部には、前記カメラボディ側マウント部との結合時において、該カメラボディ側マウント部との間に間隙を形成すると共に該レンズ側マウント部の外周側に開口した凹部が設けられていること、
を特徴とするレンズ鏡筒。
【請求項６】
請求項５に記載のレンズ鏡筒であって、
前記凹部は、前記レンズ側マウント部の内周側の端部に、前記カメラボディ側マウント部と接する突部を有すること、
を特徴とするレンズ鏡筒。
【請求項７】
請求項５又は６に記載のレンズ鏡筒であって、
前記レンズ側マウント部と、該レンズ鏡筒の駆動により発熱する発熱部との間の少なくとも一部は、伝熱手段によって連結されていること、
を特徴とするレンズ鏡筒。
【請求項８】
請求項５〜７いずれか１項に記載のレンズ鏡筒であって、
前記凹部は複数設けられ、該複数の凹部は互いに連結していること、
を特徴とするレンズ鏡筒。
【請求項９】
請求項５〜８のいずれか１項に記載のレンズ鏡筒であって、
前記レンズ側マウント部は、前記カメラボディ側マウント部に設けられた位置決めピンの挿入部を備え、
前記凹部は、前記レンズ側マウント部における前記位置決めピンが前記挿入部に挿入されるまでの移動する領域以外の領域に形成されていること、
を特徴とするレンズ鏡筒。
【請求項１０】
請求項１〜９のカメラボディ又はレンズ鏡筒のいずれかを含むカメラシステム。
【発明の詳細な説明】
【技術分野】
【０００１】
本発明は、カメラボディ、レンズ鏡筒及びカメラシステムに関するものである。
【背景技術】
【０００２】
近年、カメラボディ、レンズ鏡筒及びカメラシステムの小型化が進む一方、これらの内部の撮像素子や駆動回路からの発熱が問題となってきている。特に、撮像素子は画素数の増加及び画素の高密度化等により発熱量が増大している。内部の温度が上昇すると、撮影画像の劣化、ノイズの発生、その他各機能が悪化する。このため、撮像素子や各種機構の駆動回路から発生する熱を放熱するために、レンズ鏡筒の外周に放熱フィンを設けているものがある（例えば、特許文献１参照）。
【特許文献１】特開２００６−２５１０５８号公報
【発明の開示】
【発明が解決しようとする課題】
【０００３】
しかし、レンズ鏡筒の外周に放熱フィンを設けた場合、レンズ鏡筒の外観を損ない、放熱部が撮影中に手に触れるため、撮影者に不快な熱感を与える可能性がある。
【０００４】
本発明の課題は、外観を損なわず、且つ撮影者に不快感を与えることなく、放熱が可能なカメラボディ、レンズ鏡筒及びカメラシステムを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、レンズ鏡筒（２０）の装着時に、該レンズ鏡筒（２０）のレンズ側マウント部（３０Ｌ，３０Ｍ）が結合されるカメラボディ側マウント部（３０Ｂ，３０Ｃ）を備え、該カメラボディ側マウント部（３０Ｂ，３０Ｃ）には、前記レンズ側マウント部（３０Ｌ，３０Ｍ）との結合時において、該レンズ側マウント部（３０Ｌ，３０Ｍ）との間に間隙を形成すると共に該カメラボディ側マウント部（３０Ｂ，３０Ｃ）の外周側に開口した凹部（６１Ｂ）が設けられていること、を特徴とするカメラボディ（１０）である。
請求項２に記載の発明は、請求項１に記載のカメラボディ（１０）であって、前記凹部（６１Ｂ）は、前記カメラボディ側マウント部（３０Ｂ，３０Ｃ）の内周側の端部に、前記レンズ側マウント部（３０Ｌ，３０Ｍ）と接する凸部（６２Ｂ）を有すること、を特徴とするカメラボディ（１０）である。
請求項３に記載の発明は、請求項１又は２に記載のカメラボディ（１０）であって、前記カメラボディ側マウント部（３０Ｂ，３０Ｃ）と、前記カメラボディ（１０）内に設けられて駆動により発熱する発熱部との間の少なくとも一部は、伝熱手段（５１，５１Ａ，５１Ｂ）によって連結されていること、を特徴とするカメラボディ（１０）である。
請求項４に記載の発明は、請求項１〜３のいずれか１項に記載のカメラボディ（１０）であって、前記凹部（６１Ｂ）は複数設けられ、該複数の凹部（６１Ｂ）は互いに連結していること、を特徴とするカメラボディ（１０）である。
請求項５に記載の発明は、カメラボディ（１０）への装着時に、該カメラボディ（１０）のカメラボディ側マウント部（３０Ｂ，３０Ｃ）が結合されるレンズ側マウント部（３０Ｌ，３０Ｍ）を備え、該レンズ側マウント部（３０Ｌ，３０Ｍ）には、前記カメラボディ側マウント部（３０Ｂ，３０Ｃ）との結合時において、該カメラボディ側マウント部（３０Ｂ，３０Ｃ）との間に間隙を形成すると共に該レンズ側マウント部（３０Ｌ，３０Ｍ）の外周側に開口した凹部（６１Ｌ）が設けられていること、を特徴とするレンズ鏡筒（２０）である。
請求項６に記載の発明は、請求項５に記載のレンズ鏡筒（２０）であって、
前記凹部（６１Ｌ）は、前記レンズ側マウント部（３０Ｌ，３０Ｍ）の内周側の端部に、前記カメラボディ側マウント部（３０Ｂ，３０Ｃ）と接する凸部を有すること、を特徴とするレンズ鏡筒（２０）である。
請求項７に記載の発明は、請求項５又は６に記載のレンズ鏡筒（２０）であって、前記レンズ側マウント部（３０Ｌ）と、該レンズ鏡筒（２０）の駆動により発熱する発熱部（２３）との間の少なくとも一部は、伝熱手段（５２）によって連結されていること、を特徴とするレンズ鏡筒（２０）である。
請求項８に記載の発明は、請求項５〜７いずれか１項に記載のレンズ鏡筒（２０）であって、前記凹部（６１Ｌ）は複数設けられ、該複数の凹部（６１Ｌ）は互いに連結していること、を特徴とするレンズ鏡筒（２０）である。
請求項９に記載の発明は、請求項５〜８のいずれか１項に記載のレンズ鏡筒（２０）であって、前記レンズ側マウント部（３０Ｌ，３０Ｍ）は、前記カメラボディ側マウント部（３０Ｂ，３０Ｃ）に設けられた位置決めピン（３７Ｐ）の挿入部（３７Ｈ）を備え、前記凹部（６１Ｂ）は、前記レンズ側マウント部（３０Ｌ，３０Ｍ）における前記位置決めピン（３７Ｐ）が前記挿入部に挿入されるまでの移動する領域以外の領域に形成されていること、を特徴とするレンズ鏡筒（２０）である。
請求項１０に記載の発明は、請求項１〜９のカメラボディ（１０）又はレンズ鏡筒（２０）のいずれかを含むカメラシステム（１，２）である。
なお、符号を付して説明した構成は、適宜改良してもよく、また、少なくとも一部を他の構成物に代替してもよい。
【発明の効果】
【０００７】
本発明によれば、外観を損なわず、且つ撮影者に不快感を与えることなく、放熱が可能なカメラボディ、レンズ鏡筒及びカメラシステムを提供することができる。
【発明を実施するための最良の形態】
【０００８】
（第１実施形態）
以下、図面等を参照して、本発明の実施形態について説明する。なお、以下に示す各図には、説明と理解を容易にするために、ＸＹＺ直交座標系を設けた。この座標系では、撮影者が光軸０Ａを水平として横長の画像を撮影する場合のカメラボディの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
図１は、本発明の実施の形態におけるカメラシステム１をカメラボディ１０とレンズ鏡筒２０とに分離した状態の斜視図である。図２は、カメラシステム１の光軸Ｌを含む垂直断面を概念的に示す図である。図３は、図２のＡ部に相当する部分の拡大図である。図４は、ボディ側マウント３０Ｂを示す図１のＢ矢視図に相当する図である。図５は、レンズ側マウント３０Ｌを示す図１のＣ矢視図に相当する図である。
【００１０】
まず、本発明の実施の形態におけるカメラシステム１の全体構成を説明する。カメラシステム１は、ペンタプリズム（図示せず）を備えるいわゆる一眼レフのデジタルカメラであって、カメラボディ１０と、レンズ鏡筒２０とにより構成される。カメラボディ１０とレンズ鏡筒２０とは、マウント機構３０によって互いに着脱可能に結合されるようになっている。
【００１１】
マウント機構３０は、後に詳述するが、カメラボディ１０に設けられたボディ側マウント３０Ｂと、レンズ鏡筒２０に設けられたレンズ側マウント３０Ｌとによって構成されており、両者の周方向への所定角度の相対回転でロックされるいわゆるバヨネット式のマウント機構である。
【００１２】
カメラボディ１０は、ボディ側マウント３０Ｂ、撮像ユニット４０等を備えている。ボディ側マウント３０Ｂは、カメラボディ１０の前面に形成された、正面視で円形のボディ開口部に設けられている。このボディ側マウント３０Ｂについては後に詳述する。なお、カメラボディ１０の前面とは、カメラボディ１０の各面のうち、撮影時に被写体に対向する側の面を意味するものとする。
【００１３】
撮像ユニット４０は、レンズ鏡筒２０が備える撮影レンズ２２によって導かれた被写体光を電気信号に変換して出力する撮像素子４１を備えている。撮像ユニット４０は、他に、図示しないが、撮像素子４１の結像面に結像される被写体像にモアレが発生するのを抑制する光学ローパスフィルタ等を備えている。なお、本実施形態におけるカメラシステム１は、カメラボディ１０の内部に設けられた撮像素子４１とマウント機構３０とが、熱伝導率の高い素材によって形成された伝熱部材５１を介して熱的に接続されて、撮像素子４１の発生する熱をカメラシステム１の外部に逃がす放熱構造５０を備えている。この放熱構造５０については後に詳述する。
【００１４】
レンズ鏡筒２０は、鏡筒筐体２１、レンズ２２及びレンズ側マウント３０Ｌを備えている。レンズ２２は、カメラボディ１０に備えられた撮像素子４１に被写体光を導く光学系である。レンズ２２は、複数のレンズ群によって形成されて鏡筒筐体２１の内部に収容されており、その一部がズームレンズやフォーカスレンズとして機能する。
【００１５】
レンズ側マウント３０Ｌは、鏡筒筐体２１のカメラボディ１０と対向する側の光軸方向の端部に設けられており、マウント機構３０の他部を構成する。このレンズ側マウント３０Ｌについては、後に詳述する。
【００１６】
そして、カメラボディ１０に、レンズ鏡筒２０がマウント機構３０（ボディ側マウント３０Ｂ及びレンズ側マウント３０Ｌ）によって装着され、カメラシステム１を構成する。なお、図１を含む各図面に示すレンズ鏡筒２０は、カメラボディ１０に装着可能なレンズ鏡筒の一例であり、カメラボディ１０は、このレンズ鏡筒２０と実質的に同じ構成のレンズ側マウント３０Ｌを備えた複数種類のレンズ鏡筒が選択的に装着可能なものである。
【００１７】
次に、マウント機構３０について詳細に説明する。マウント機構３０は、前述したように、バヨネット式のマウント機構であって、カメラボディ１０に備えられたボディ側マウント３０Ｂと、レンズ鏡筒２０に備えられたレンズ側マウント３０Ｌと、によって構成される。カメラボディ１０に設けられたボディ側マウント３０Ｂは、後述するカメラボディ１０にビス９１によって固定されたボディ側マウントリング３１Ｂによって構成されている。
【００１８】
ボディ側マウントリング３１Ｂは、中央に被写体光の通過する円形の開口部を有する円環状であって、ボディ側マウント胴付面３２Ｂと、ボディ側爪部３４Ｂとを備えている。また、ボディ側マウントリング３１Ｂは、ボディ側マウント胴付面３２Ｂから突出／退避可能なマウント位置決めピン３７Ｐを備えている。
【００１９】
ボディ側マウントリング３１Ｂを形成する素材は、所定精度が得られると共に耐摩耗性を有し、さらに、当該ボディ側マウントリング３１Ｂは放熱構造における放熱部の一部を構成するために高熱伝導率を有するものが好ましい。このような条件を満たせば、金属又はプラスチックのいずれであってもよい。
【００２０】
ボディ側マウント胴付面３２Ｂは、ボディ側マウントリング３１Ｂにおける光軸方向被写体側を向いた面で、フランジバック長を規定する基準となる面である。このボディ側マウント胴付面３２Ｂは、後述する基準面３３Ｂを構成する。
【００２１】
ボディ側爪部３４Ｂは、カメラボディ１０にレンズ鏡筒２０が装着された状態において、後述するレンズ鏡筒２０のレンズ側マウント３０Ｌに備えられたレンズ側爪部３４Ｌに機械的に係合することによって、カメラボディ１０にレンズ鏡筒２０との光軸方向への相対移動を制限するものである。
【００２２】
ボディ側爪部３４Ｂは、所定厚さの板状であって、ボディ側マウントリング３１Ｂの内周側に突出して周方向所定範囲に形成され、周方向に略等間隔で複数設けられている。本実施の形態では、内周を略６等分する略６０°の範囲に形成され、周方向に略６０°離間して３箇所設けられている。
ボディ側爪部３４Ｂのボディ側マウントリング３１Ｂにおける径方向の先端は、ボディ側マウントリング３１Ｂの中心開口部と同心の所定径の円弧状に形成されている。
【００２３】
マウント位置決めピン３７Ｐは、ボディ側マウント胴付面３２Ｂから所定量突出した突出位置と、ボディ側マウントリング３１Ｂ内に引っ込んだ収容状態との間を移動可能になっており、図示しないバネによって突出位置に付勢されている。カメラボディ１０の前面には、ロック解除ボタン（図示せず）が設けられており、このロック解除ボタンを押し込むことによってマウント位置決めピン３７Ｐを収容状態に移動させることができるようになっている。そして、マウント位置決めピン３７Ｐは、レンズ側マウント３０Ｌがボディ側マウント３０Ｂに対して所定の位置関係となった状態（すなわちレンズ鏡筒２０がカメラボディ１０に対して所定の位置関係となった状態）において、レンズ鏡筒２０のレンズ側マウント３０Ｌに設けられたマウント位置決めピン穴３７Ｈに嵌合し、これによって、レンズ鏡筒２０とカメラボディ１０との光軸Ｌ周りの相対回転を規制する。
【００２４】
レンズ鏡筒２０に設けられたレンズ側マウント３０Ｌは、鏡筒筐体２１の基部にビス９２によって固定されたレンズ側マウントリング３１Ｌによって構成されている。レンズ側マウントリング３１Ｌは、中央に被写体光の通過する円形の開口を有する円環状であって、レンズ側マウント胴付面３２Ｌと、レンズ側爪部３４Ｌと、レンズ側マウント筒部３５Ｌ及びマウント位置決めピン穴３７Ｈを備えている。レンズ側マウントリング３１Ｌを形成する素材は、ボディ側マウントリング３１Ｂと同様に、所定精度の確保が可能であって耐摩耗性を有し、さらに、高熱伝導率を有するものが好ましい。
【００２５】
レンズ側マウント胴付面３２Ｌは、ボディ側マウント胴付面３２Ｂと対応する円環状の平面で、後述する基準面３３Ｌを構成する。レンズ側マウント胴付面３２Ｌの内周部には、レンズ側マウント筒部３５Ｌが立設されている。レンズ側マウント筒部３５Ｌは、レンズ側マウント胴付面３２Ｌの内周部から所定高さに立設され、その端縁部の外周側にレンズ側爪部３４Ｌが形成されている。
【００２６】
レンズ側爪部３４Ｌは、所定厚さの板状であって、レンズ側マウント筒部３５Ｌの外周面に、その径方向外側に突出して周方向所定範囲に形成され、周方向に略等間隔で複数設けられている。レンズ側爪部３４Ｌの、光軸Ｌ回りの周方向の形成範囲は、レンズ側マウント３０Ｌにおいてボディ側爪部３４Ｂが形成されていない部分と略対応している。すなわち、本実施の形態では、それぞれ略６０°の範囲に形成され、略６０°間隔で３箇所設けられている。レンズ側爪部３４Ｌの、レンズ側マウントリング３１Ｌにおける径方向の先端は、レンズ側マウントリング３１Ｌの中央開口部と同心の円弧状となっており、その径は、ボディ側マウントリング３１Ｂの中央開口部より所定量小さく設定されている。
【００２７】
レンズ側マウント胴付面３２Ｌとレンズ側爪部３４Ｌとの間には、溝部３６Ｌが形成されている。この溝部３６Ｌには、カメラボディ１０にレンズ鏡筒２０が装着された状態において、ボディ側マウント３０Ｂのボディ側爪部３４Ｂが摺動可能に挿入されるようになっている。
【００２８】
マウント位置決めピン穴３７Ｈは、レンズ側マウント胴付面３２Ｌに、ボディ側マウント３０Ｂの備えるマウント位置決めピン３７Ｐが嵌入可能な径及び深さとして穿設されている。その位置は、レンズ側マウント３０Ｌ（レンズ鏡筒２０）がボディ側マウント３０Ｂ（カメラボディ１０）に対して所定の位置関係にある状態において、レンズ側マウント３０Ｌのマウント位置決めピン３７Ｐと対応するように設定されている。
【００２９】
上記のごとく構成されたマウント機構３０は、下記のごとくボディ側マウント３０Ｂとレンズ側マウント３０Ｌとの結合及び結合解除（カメラボディ１０へのレンズ鏡筒２０の装着及び取り外し）に作用する。すなわち、ボディ側マウント３０Ｂとレンズ側マウント３０Ｌとを結合する際には、レンズ側マウント３０Ｌのレンズ側爪部３４Ｌを、ボディ側マウント３０Ｂのボディ側爪部３４Ｂの間隔部位（形成されていない部位）に対応させて、レンズ側マウント３０Ｌのレンズ側マウント胴付面３２Ｌをボディ側マウント３０Ｂのボディ側マウント胴付面３２Ｂに密着させ、その状態で、レンズ側マウント３０Ｌ（レンズ鏡筒２０）とボディ側マウント３０Ｂ（カメラボディ１０）とを光軸Ｌ回りに所定の方向に相対回転させる。本実施の形態の構成では、被写体側から見てレンズ鏡筒２０をカメラボディ１０に対して反時計回りに回転させる。
【００３０】
これにより、ボディ側マウント３０Ｂのボディ側爪部３４Ｂが、レンズ側マウント３０Ｌの溝部３６Ｌに挿入される。レンズ側マウント３０Ｌとボディ側マウント３０Ｂとが所定角度相対回転すると、ボディ側マウント３０Ｂのマウント位置決めピン３７Ｐが、レンズ側マウント３０Ｌのマウント位置決めピン穴３７Ｈに嵌入する。
【００３１】
その結果、図２に示すように、レンズ側マウント３０Ｌのレンズ側マウント胴付面３２Ｌが、ボディ側マウント３０Ｂのボディ側マウント胴付面３２Ｂに密着して光軸Ｌ方向に位置決めされ、図２には示さないがボディ側マウント３０Ｂのマウント位置決めピン３７Ｐが、レンズ側マウント３０Ｌのマウント位置決めピン穴３７Ｈに嵌合して光軸Ｌ回り方向に位置決めされた結合状態となる。つまり、レンズ側マウント３０Ｌを備えるレンズ鏡筒２０が、ボディ側マウント３０Ｂを備えるカメラボディ１０に、位置決めされて相対移動不能に装着されるものである。
【００３２】
ボディ側マウント３０Ｂとレンズ側マウント３０Ｌとを結合を解除する（レンズ鏡筒２０をカメラボディ１０から取り外す）際には、カメラボディ１０に設けられた図示しないロック解除ボタンを押し込で、ボディ側マウント３０Ｂのマウント位置決めピン３７Ｐを収容状態に移動させる。これによってレンズ側マウント３０Ｌ（レンズ鏡筒２０）がボディ側マウント３０Ｂ（カメラボディ１０）に対して相対回転可能となる。そして、レンズ側マウント３０Ｌ（レンズ鏡筒２０）とボディ側マウント３０Ｂ（カメラボディ１０）とを装着時とは逆に相対回転させて、レンズ側マウント３０Ｌのレンズ側爪部３４Ｌを、ボディ側マウント３０Ｂのボディ側爪部３４Ｂの間隔部位（形成されていない部位）に対応させる。これにより、レンズ鏡筒２０をカメラボディ１０から取り外すことができる。
【００３３】
ここで、カメラシステム１は、前述のごとく、カメラボディ１０の内部に設けられた撮像素子４１の発生する熱をカメラシステム１の外部に逃がす放熱構造５０を備えている。この放熱構造５０は、撮像素子４１の熱をマウント機構３０に導く伝熱部材５１と、マウント機構３０に構成された放熱部６０とにより構成されている。
【００３４】
伝熱部材５１は、熱伝導率の高い素材によって形成され、カメラボディ１０の内部に設けられて、撮像素子４１とボディ側マウント３０Ｂのボディ側マウントリング３１Ｂとを熱伝導可能に接続している。伝熱部材５１は、図２に示すように、光軸Ｌと直交状態に配置された基板部５１Ａと、その基板部５１Ａの外端縁からカメラボディ１０の前面側（Ｚ軸方向）に向けて延設された側板部５１Ｂと、を備えている。
【００３５】
基板部５１Ａは高い効率で熱伝導可能な状態で撮像素子４１を支持しており、側板部５１Ｂの先端部にはボディ側マウントリング３１Ｂが固定されている。これにより、撮像素子４１で発生した熱は、基板部５１Ａ及び側板部５１Ｂを介してボディ側マウントリング３１Ｂ（ボディ側マウント３０Ｂ）に伝導し、マウント機構３０から外部に放熱されるようになっている。
【００３６】
なお、図２に示す伝熱部材５１の形状は、簡略化して概念的に示すものであって、実際にはファインダー側（図示しないフォーカシングスクリーン及びペンタプリズム側）等への光路を確保した形状である。また、本実施の形態では、ボディ側マウントリング３１Ｂをカメラボディ１０に固定する構成としたが、取付強度等に問題が無ければボディ側マウントリング３１Ｂの固定は、伝熱部材５１に直接固定する構成としてもよい。
【００３７】
さらに、伝熱部材５１は、単一の専用部材である必要はなく、カメラボディ１０の内部の撮像素子４１とボディ側マウント３０Ｂの間に配置される他の機能を有する構成部材を、高熱伝導性の素材で形成して利用してもよい。すなわち、図示しない撮像ユニット４０の構成部材やミラーボックス等、複数の構成部材を高熱伝導率の素材によって形成すると共に熱伝導可能に連結し、全体として伝熱部材５１を構成してもよい。
【００３８】
伝熱部材５１を形成する素材は、高い熱伝導性を有すれば金属又はプラスチックのいずれでもよいが、軽く、モールドを用いた射出成形が可能な高熱伝導性プラスチックがより好ましい。高熱伝導性プラスチックとしては、プラスチック基材に熱伝導率の高い充填材を充填すると共にその充填材粒子の間を低融点金属でつなぎ、熱伝導の道筋をつくることによって熱伝導率を向上させたものがある。この高熱伝導性プラスチックでは、低融点金属が成形加工時にプラスチックと同様に溶融状態（液体）となって、複雑な形状且つ精密な製品の成形が可能である。このような高熱伝導性プラスチックを用いることで、複雑な形状であっても低コストに形成できる。
【００３９】
つぎに、マウント機構３０に構成された放熱部６０について説明する。放熱部６０は、ボディ側マウント３０Ｂのボディ側マウント胴付面３２Ｂに形成されたボディ側放熱凹部６１Ｂと、レンズ側マウント３０Ｌのレンズ側マウント胴付面３２Ｌに形成されたレンズ側放熱凹部６１Ｌとによって構成されている。
【００４０】
ボディ側マウント３０Ｂにおけるボディ側マウント胴付面３２Ｂに形成されたボディ側放熱凹部６１Ｂは、図４に示すように、ボディ側マウント胴付面３２Ｂを周方向に１６等分した角度領域の１つ置きの領域が、所定深さに抉られて形成されている。ボディ側放熱凹部６１Ｂは、周方向の両壁面がボディ側マウント３０Ｂの径方向と一致して、平面視において扇形を呈している。
【００４１】
ボディ側放熱凹部６１Ｂのボディ側マウント３０Ｂにおける外周側は、径方向外部に開放している。一方、ボディ側放熱凹部６１Ｂのボディ側マウント３０Ｂにおける中心側には壁部６２Ｂが形成され、ボディ側マウント３０Ｂの中央開口部側には開放していない。これにより、ボディ側放熱凹部６１Ｂを介してボディ側マウント３０Ｂの外部と内部（中央開口部）とが連通せず、ボディ側放熱凹部６１Ｂを介して外部から塵埃や水等が内部に侵入することがないようになっているものである。
【００４２】
ボディ側放熱凹部６１Ｂの間の領域は、レンズ側マウント３０Ｌのレンズ側マウント胴付面３２Ｌと密着してその位置を規定する基準面３３Ｂとなっている。ボディ側マウントリング３１Ｂを伝熱部材に固定するビス９１は、この基準面３３Ｂに配置され、また、マウント位置決めピン３７Ｐもこの基準面３３Ｂに配置されている。なお、ビス９１は、ボディ側放熱凹部６１Ｂに配置してもよいが、当該ボディ側放熱凹部６１Ｂを形成した部位は基準面３３Ｂに比較してボディ側マウントリング３１Ｂの厚さが薄いため、強度等の観点から基準面３３Ｂにザグリにてビス頭が基準面３３Ｂより突出しない形で配置するのが好ましい。
【００４３】
レンズ側マウント３０Ｌにおけるレンズ側マウント胴付面３２Ｌに形成されたレンズ側放熱凹部６１Ｌは、ボディ側放熱凹部６１Ｂと略同様の形状であるが、配置は異なる。すなわち、図５に示すように、レンズ側マウント胴付面３２Ｌには、レンズ鏡筒２０を装着する際にボディ側マウント３０Ｂのマウント位置決めピン３７Ｐが当接して摺動する領域が、他より広い角度範囲のピンスライド面３３Ｍとして形成されており、その他の領域が１５等分されて、その角度領域の１つ置きの領域が所定深さに抉られてレンズ側放熱凹部６１Ｌが形成されている。
【００４４】
レンズ側放熱凹部６１Ｌの平面視における形状は、周方向の両壁面がレンズ側マウント３０Ｌの径方向と一致して扇形を成す。レンズ側放熱凹部６１Ｌのレンズ側マウント３０Ｌにおける外周側は、径方向外部に開放している。一方、レンズ側放熱凹部６１Ｌのレンズ側マウント３０Ｌにおける中心側は、レンズ側マウント胴付面３２Ｌの内周部から立設されたレンズ側マウント筒部３５Ｌの基部まで形成されており、レンズ側マウント３０Ｌの中央開口部側に開放していない。これにより、レンズ側放熱凹部６１Ｌを介してレンズ側マウント３０Ｌの外部と内部（中央開口部）とが連通せず、レンズ側放熱凹部６１Ｌを介して外部から塵埃や水等が内部に侵入することがないようになっているものである。
【００４５】
レンズ側放熱凹部６１Ｌの間の領域は、ボディ側マウント３０Ｂのボディ側マウント胴付面３２Ｂと密着する基準面３３Ｌとなっている。レンズ側マウントリング３１Ｌを鏡筒筐体２１に固定するビス９２は、この基準面３３Ｌにザグリにてビス頭が基準面３３Ｌより突出しない形で配置されている。前述したように、ボディ側マウント３０Ｂのマウント位置決めピン３７Ｐが当接して摺動する領域は、他より広い角度範囲のピンスライド面３３Ｍとなっている。
【００４６】
なお、マウント位置決めピン３７Ｐがレンズ側マウントリング３１Ｌのレンズ側マウント胴付面３２Ｌに当接して摺動する構成と異なるロック機構を備えるマウント機構であれば、このような広い角度範囲のピンスライド面３３Ｍを備える必要はない。レンズ側マウントリング３１Ｌを鏡筒筐体２１に固定するビス９２の配置位置は、前述したボディ側マウント３０Ｂの場合と同様に、レンズ側放熱凹部６１Ｌに比較してレンズ側マウントリング３１Ｌの厚さが厚い基準面３３Ｌに配置するのが好ましい。
【００４７】
上記構成の放熱部６０を備えるマウント機構３０は、ボディ側マウント３０Ｂとレンズ側マウント３０Ｌとが結合した状態（カメラボディ１０にレンズ鏡筒２０が装着された状態）において、ボディ側マウント胴付面３２Ｂの基準面３３Ｌと、レンズ側マウント胴付面３２Ｌの基準面３３Ｌ及びピンスライド面３３Ｍとが熱伝導可能に密着して熱的に一体化する。その上で、ボディ側マウント胴付面３２Ｂとレンズ側マウント胴付面３２Ｌの間には、レンズ側放熱凹部３３Ｌとボディ側放熱凹部６１Ｂとによって空間が形成され、その空間に接する面から効率良く放熱を行うことができる。
【００４８】
すなわち、ボディ側マウント胴付面３２Ｂに形成されたボディ側放熱凹部６１Ｂは、レンズ側マウント胴付面３２Ｌとの間に空間を形成し、レンズ側マウント胴付面３２Ｌに形成されたレンズ側放熱凹部６１Ｌは、ボディ側マウント胴付面３２Ｂとの間に空間を形成する。これにより、マウント機構３０の内部に、外周側に開放する放射状の空間が形成されることとなり、その空間の周囲の壁面が放熱面となって外部へ放熱する。その結果、広い大きな放熱面積で高い効率で放熱することが可能となる。
【００４９】
上記のように、伝熱部材５１と、マウント機構３０に構成された放熱部６０とを備える放熱構造５０によれば、伝熱部材５１が撮像素子４１の熱をマウント機構３０に導く。マウント機構３０の放熱部６０は、伝熱部材５１を介して伝導された熱を外周側に開放する放射状の空間から外部に放熱する。これにより、撮像素子４１を効率良く冷却することができる。その結果、構成部品の実装密度を高め、カメラボディ１０を小型化することが可能となる。
【００５０】
放熱部６０の放熱面は、ボディ側マウント胴付面３２Ｂとレンズ側マウント胴付面３２Ｌとの間に形成されて外面側に大きく露出しないため、操作者が放熱面に不用意に触れるといった不具合を生ずることがない。
【００５１】
（第２実施形態）
図６は本発明の第２実施形態に係るボディ側マウント３０Ｃを示す図１のＢ矢視図に相当する図である。第２実施形態は第１実施形態と、ボディ側放熱凹部６１Ｂの形状が異なる。第１実施形態と同様な部分には同符号を付し、その説明を省略する。
ボディ側マウント３０Ｃでは、基準面３３Ｂの内周に沿って連通溝６３Ｂが形成されており、この連通溝６３Ｂによって、基準面３３Ｂを隔てて隣接するボディ側放熱凹部６１Ｂの内周部分が連結されている。
この連通溝６３Ｂの形成によって、ボディ側放熱凹部６１Ｂの中央開口部側への開放を防いでいる壁部６２Ｂは、基準面３３Ｂから切り離されて円環状となっている。
この構成によれば、外周側に開放するボディ側放熱凹部６１Ｂに外部から侵入した水等を、連通溝６３Ｂ及び連通溝６３Ｂによって連結されたボディ側放熱凹部６１Ｂを介して重力方向下側に自然に流下させて排除することができる。
【００５２】
（第３実施形態）
図７は本発明の第３実施形態に係るレンズ側マウント３０Ｍを示す図１のＣ矢視図に相当する図である。第３実施形態は第１実施形態と、レンズ側放熱凹部６１Ｌの形状が異なる。第１実施形態と同様な部分には同符号を付し、その説明を省略する。
このレンズ側マウント３０Ｍでは、前述した図６に示すボディ側マウント３０Ｃと同様に、基準面３３Ｌの内周に沿って、隣接するレンズ側放熱凹部６１Ｌを連結する連通溝６３Ｌが形成されている。これにより、外周側に開放するレンズ側放熱凹部６１Ｌに外部から侵入した水等を、連通溝６３Ｌ及び連通溝６３Ｌによって連結されたレンズ側放熱凹部６１Ｌを介して重力方向下側に自然に流下させて排除することが可能となる。
【００５３】
（第４実施形態）
図８は、本発明の第４実施形態に係るカメラシステム２の光軸Ｌを含む垂直断面を概念的に示す図である。第１実施形態は、カメラボディ１０の内部の発熱部（撮像素子４１）の放熱に伝熱部材５１を適用した例であるが、第４実施形態はレンズ鏡筒２０に設けられた発熱部に伝熱部材５２を適用したものである。第１実施形態と同様な部分には同符号を付し、その説明を省略する。
【００５４】
図８に示す本実施の形態のカメラシステム２では、レンズ鏡筒２０におけるオートフォーカス用のレンズ群（図示せず）を駆動する超音波モータ２３と、マウント機構３０（放熱部６０）とが、熱伝導率の高い素材によって形成された伝熱部材５２によって熱伝導可能に連結されて構成されている。これにより、超音波モータ２３の発する熱を、伝熱部材５２を介して効率良くマウント機構３０に伝導し、放熱部６０から外部に放熱することができる。なお、本構成においても、発熱部は超音波モータ２３に限らず、例えばその駆動回路からの発熱を放熱する構成としてもよい。
【００５５】
以上、上述の実施形態によると、以下の効果を有する。
（１）熱伝導率の高い素材によって形成された伝熱部材５１が、撮像素子４１の熱を効率良くマウント機構３０に伝導し、マウント機構３０から放熱させることができる。つまり、撮像素子４１を効率良く冷却することができる。
（２）マウント機構３０の放熱部６０は、カメラボディ１０にレンズ鏡筒２０が装着された状態において、ボディ側マウント胴付面３２Ｂとレンズ側マウント胴付面３２Ｌの間に空間を形成し、その空間に接する面が放熱面となる。これにより、広い放熱面積を得ることができ、効率良く放熱を行うことができる。その結果、構成部品の実装密度を高め、カメラシステム１を小型化することが可能となる。
（３）マウント機構３０の放熱部６０の放熱面は、ボディ側マウント胴付面３２Ｂとレンズ側マウント胴付面３２Ｌとの間との間に形成されて外周面側に大きく露出しないため、操作者が放熱面に不用意に触れるといった不具合を生ずることがない。
（４）ボディ側マウント３０Ｃにおいて、基準面３３Ｂに内周に沿って形成された連通溝６３Ｂによって、基準面３３Ｂを隔てて隣接するボディ側放熱凹部６１Ｂの内周部分が連結されていることにより、外周側に開放するボディ側放熱凹部６１Ｂに外部から侵入した水等を、連通溝６３Ｂ及び連通溝６３Ｂによって連結されたボディ側放熱凹部６１Ｂを介して重力方向下側に自然に流下させて排除することができる。
（５）レンズ側マウント３０Ｍにおいて、基準面３３Ｌに内周に沿って形成された連通溝６３Ｌによって、基準面３３Ｌを隔てて隣接するレンズ側放熱凹部６１Ｌの内周部分が連結されていることにより、外周側に開放するレンズ側放熱凹部６１Ｌに外部から侵入した水等を、連通溝６３Ｌ及び連通溝６３Ｌによって連結されたレンズ側放熱凹部６１Ｌを介して重力方向下側に自然に流下させて排除することが可能となる。
【００５６】
（変形形態）
以上、説明した実施形態に限定されることなく、以下に示すような種々の変形や変更が可能であり、それらも本発明の範囲内である。
【００５７】
（１）ボディ側放熱凹部６１Ｂ及びレンズ側放熱凹部６１Ｌの形状及び周方向の幅等は、本実施の形態に限定されない。例えば本実施形態における８個以上でもよく、またそれ以下でもよい。
（２）本実施形態では、ボディ側マウント胴付面３２Ｂとレンズ側マウント胴付面３２Ｌの双方にボディ側放熱凹部６１Ｂ又はレンズ側放熱凹部６１Ｌが形成されているが、いずれか一方のみに形成した構成としてもよい。
（３）レンズ鏡筒の外側に遮熱塗膜を塗布し、外部熱の吸熱を防止することでレンズ鏡筒内部が高熱になるのを防ぐようにしてもよい。ここで、遮熱塗膜とは、熱エネルギーに変わりやすい赤外線領域（波長９００〜１７００ｎｍ）の光の少なくとも一部（好ましくは５０％以上）を反射させることができる膜のことである。レンズ鏡筒の外側（外周表面）の少なくとも一部に遮熱塗膜を設けることにより、レンズ鏡筒の外周表面での発熱を抑制することができ、好ましい。また、レンズ鏡筒内に放熱部６０を設ければ、レンズ鏡筒内部での発熱も抑制することができより好ましい。
（４）ボディ側マウント胴付面３２Ｂに形成されたボディ側放熱凹部６１Ｂと、レンズ側マウント胴付面３２Ｌに形成されたレンズ側放熱凹部６１Ｌとは、一致する必要は全くなく、ボディ側マウント３０Ｂ又はレンズ側マウント３０Ｌそれぞれを設置する側の形状に対応した適宜な形状に設定することができる。ただし、ボディ側マウント３０Ｂにおけるボディ側マウント胴付面３２Ｂ（基準面３３Ｌ）と、レンズ側マウント３０Ｌにおけるレンズ側マウント胴付面３２Ｌ（基準面３３Ｌ）とが、安定して位置決めすることができる当接面積は確保する必要がある。
（５）上記実施形態でレンズ側放熱凹部は、レンズ側マウント胴付面３２Ｌの内周部から立設されたレンズ側マウント筒部３５Ｌの基部まで形成され、レンズ側マウント３０Ｌの中央開口部側に開放していない形状とした。しかし、本発明はこれに限定されず、ボディ側放熱凹部と同様に、内周側に壁部を設けることにより、レンズ側放熱凹部を介してレンズ側マウントの外部と内部とが連通しない構造にしてもよい。
なお、実施形態及び変形形態は、適宜組み合わせて用いることもできるが、詳細な説明は省略する。また、本発明は以上説明した実施形態によって限定されることはない。
【図面の簡単な説明】
【００５８】
【図１】第１実施形態のカメラをカメラボディとレンズ鏡筒とに分離した状態の斜視図である。
【図２】第１実施形態のカメラの光軸を含む垂直断面を概念的に示す図である。
【図３】図２のＡ部相当部の拡大図である。
【図４】第１実施形態のボディ側マウントを示す図１のＢ矢視図に相当する図である。
【図５】第１実施形態のレンズ側マウントを示す図１のＣ矢視図に相当する図である。
【図６】第２実施形態のボディ側マウントを示す図である。
【図７】第３実施形態のレンズ側マウントを示す図である。
【図８】第４実施形態におけるカメラの光軸を含む垂直断面を概念的に示す図である。
【符号の説明】
【００５９】
１，２：カメラシステム、１０：カメラボディ、２０：レンズ鏡筒、２３；超音波モータ、３０：マウント機構、３０Ｂ：ボディ側マウント、３７Ｐ：マウント位置決めピン、３０Ｌ：レンズ側マウント、３３Ｍ：ピンスライド面、３７Ｈ：マウント位置決めピン穴、４１：撮像素子、５１，５２：伝熱部材、６０：放熱部、６１Ｂ：ボディ側放熱凹部、６２Ｂ…壁部、６３Ｂ：連通溝、６１Ｌ：レンズ側放熱凹部、６３Ｌ：連通溝
【図１】
2010145616.tif 000003
【図２】
2010145616.tif 000004
【図３】
2010145616.tif 000005
【図４】
2010145616.tif 000006
【図５】
2010145616.tif 000007
【図６】
2010145616.tif 000008
【図７】
2010145616.tif 000009
【図８】
2010145616.tif 000010